(57)【要約】【課題】離し置きされた建物ユニット間につなぎ小梁を設置する際に施工性がよいユニット建物及びユニット建物の施工方法を得る。【解決手段】離し置きされた建物ユニット１２と建物ユニット１４の間につなぎ床小梁２０が架け渡されており、つなぎ床小梁２０の両端部には、ブラケット５６がそれぞれ結合されている。当該ブラケット５６は、床大梁３２に引っ掛け可能とされており、ブラケット５６につなぎ床小梁２０の端部を結合させることによって、つなぎ床小梁２０を床大梁３２に締結させる前に、ブラケット５６を介してつなぎ床小梁２０を床大梁３２に引っ掛け、支持（仮置き）させることが可能となる。すなわち、ブラケット４８を床大梁３２に引っ掛けるだけで、つなぎ床小梁２０は支持されるため、つなぎ床小梁２０を床大梁３２に締結させる際に、当該つなぎ床小梁２０を下から支持する必要はなく、一人で締結作業を行うことができる。【選択図】図７
2019085776.tif 000002
【特許請求の範囲】
【請求項１】
離し置きされた建物ユニットと建物ユニットの間に架け渡されたつなぎ小梁と、
前記つなぎ小梁の端部に結合され、かつ前記建物ユニットの天井又は床に配設された大梁に引っ掛けられた状態で締結されたブラケットと、
を有するユニット建物。
【請求項２】
前記ブラケットは、
結合された前記つなぎ小梁の反対側へ向かって張り出し、前記大梁の上部を構成する上壁部に当接して当該大梁に引っ掛かる掛かり部と、
結合された前記つなぎ小梁の外側に設けられ、前記大梁の側部を構成する側壁部に締結される締結部と、
を含んで構成されている請求項１に記載のユニット建物。
【請求項３】
前記つなぎ小梁は、前記大梁の長手方向の両端部の内側に設けられている請求項１又は請求項２に記載のユニット建物。
【請求項４】
請求項１〜請求項３の何れか１項に記載のユニット建物の施工方法であって、
前記つなぎ小梁の端部に連結された前記ブラケットを前記建物ユニットの前記大梁に引っ掛ける第１工程と、
前記ブラケットを前記大梁に締結させる第２工程と、
を有するユニット建物の施工方法。
【発明の詳細な説明】
【技術分野】
【０００１】
本発明は、ユニット建物及びユニット建物の施工方法に関する。
【背景技術】
【０００２】
下記特許文献１に記載の内容では、建物が離し置きされた建物について、建物ユニットの内側（建物ユニット間）に連結梁（以下、「つなぎ小梁」という）を設置した後、床パネルを敷設するようになっている。
【先行技術文献】
【特許文献】
【０００３】
【特許文献１】特開２００４−２５０９１５号公報
【発明の概要】
【発明が解決しようとする課題】
【０００４】
しかしながら、上記先行技術では、離し置きされた建物ユニットと建物ユニットの内側につなぎ小梁を設置する際、つなぎ小梁を下から支持しながらボルトを締結させなければならず、施工性がよくない。
【０００５】
本発明は上記問題を考慮し、離し置きされた建物ユニット間につなぎ小梁を設置する際に施工性がよいユニット建物及びユニット建物の施工方法を得ることが目的である。
【課題を解決するための手段】
【０００６】
上記目的を達成するために、第１の態様に係るユニット建物は、離し置きされた建物ユニットと建物ユニットの間に架け渡されたつなぎ小梁と、前記つなぎ小梁の端部に結合され、かつ前記建物ユニットの天井又は床に配設された大梁に引っ掛けられた状態で締結されたブラケットと、を有している。
【０００７】
第１の態様に係るユニット建物では、離し置きされた建物ユニットと建物ユニットの間につなぎ小梁が架け渡されている。このつなぎ小梁の端部にはブラケットが結合されており、ブラケットは、建物ユニットの天井又は床に配設された大梁に引っ掛けられた状態で当該大梁に締結されている。
【０００８】
一般に、つなぎ小梁は大梁に締結されるため、本発明では、大梁に引っ掛け可能なブラケットを設け、当該ブラケットにつなぎ小梁の端部を結合させることによって、つなぎ小梁を大梁に締結させる前に、ブラケットを介してつなぎ小梁を大梁に引っ掛け、支持（仮置き）させることが可能となる。
【０００９】
すなわち、ブラケットを大梁に引っ掛けるだけで、つなぎ小梁は支持されるため、つなぎ小梁を大梁に締結させる際に、当該つなぎ小梁を下から支持する必要はなく、一人で締結作業を行うことが可能となる。
【００１０】
第２の態様に係るユニット建物は、第１の態様に係るユニット建物において、前記ブラケットは、結合された前記つなぎ小梁の反対側へ向かって張り出し、前記大梁の上部を構成する上壁部に当接して当該大梁に引っ掛かる掛かり部と、結合された前記つなぎ小梁の外側に設けられ、前記大梁の側部を構成する側壁部に締結される締結部と、を含んで構成されている。
【００１１】
第２の態様に係るユニット建物では、ブラケットは、掛かり部と締結部とを含んで構成されている。掛かり部は、結合されたつなぎ小梁の反対側へ向かって張り出しており、大梁の上部を構成する上壁部に当接して当該大梁に引っ掛かるようになっている。一方、締結部は、結合されたつなぎ小梁の外側に設けられており、大梁の側部を構成する側壁部に締結されるようになっている。
【００１２】
つまり、ブラケットの締結部側につなぎ小梁が結合された状態で、ブラケットの掛かり部を大梁に引っ掛けた後（いわゆる仮置き）、ブラケットの締結部を大梁の側壁部に締結させることによって、当該ブラケットを介して、つなぎ小梁を大梁で設置させることができる。
【００１３】
第３の態様に係るユニット建物は、第１の態様又は第２の態様に係るユニット建物において、前記つなぎ小梁は、前記大梁の長手方向の両端部の内側に設けられている。
【００１４】
大梁の長手方向の両端部の内側に設けられるつなぎ小梁は複数存在するため、第３の態様に係るユニット建物では、大梁の長手方向の両端部の内側に設けられるつなぎ小梁を、ブラケットを介して大梁で支持することで、作業性が良く、施工作業が向上する。
【００１５】
第４の態様に係るユニット建物の施工方法は、第１の態様〜第３の態様の何れか１の態様に係るユニット建物の施工方法であって、前記つなぎ小梁の端部に連結された前記ブラケットを前記建物ユニットの前記大梁に引っ掛ける第１工程と、前記ブラケットを前記大梁に締結させる第２工程と、を有している。
【００１６】
第４の態様に係るユニット建物の施工方法では、第１工程と第２工程を備えており、第１工程では、離し置きされた建物ユニットと建物ユニットの間に配置されるつなぎ小梁の端部に連結されたブラケットが建物ユニットの大梁に引っ掛けられ、第２工程では、ブラケットが大梁に締結される。つまり、ブラケットを介してつなぎ小梁を大梁に仮置きした状態で、つなぎ小梁を大梁に締結（設置）させることができるため、作業性が良く、施工作業が向上する。
【発明の効果】
【００１７】
以上説明したように、本態様に係るユニット建物及びユニット建物の施工方法は、離し置きされた建物ユニット間につなぎ小梁を設置する際に施工性を向上させることができる、という優れた効果を有する。
【図面の簡単な説明】
【００１８】
【図１】本実施の形態に係るユニット建物の一部を構成して隣り合う建物ユニットを斜め上方側から見た概略斜視図である。
【図２】本実施の形態に係るユニット建物の一部を構成する建物ユニットの運搬時の状態を示す概略斜視図である。
【図３】（Ａ）は、本実施の形態に係るユニット建物のつなぎ床大梁の設置状態を示す平面図であり、（Ｂ）は正面図である。
【図４】本実施の形態に係るユニット建物のつなぎ床大梁の設置方法を示す分解斜視図である。
【図５】（Ａ）は、本実施の形態に係るユニット建物のつなぎ床小梁の設置状態を示す平面図であり、（Ｂ）は正面図である。
【図６】（Ｂ）は、本実施の形態に係るユニット建物のつなぎ床小梁をブラケットに結合させた状態を示す正面図であり、（Ａ）は（Ｂ）の変形例である。
【図７】本実施の形態に係るユニット建物のつなぎ床小梁の設置状態を示す斜視図である。
【図８】本実施の形態に係るユニット建物の上階ユニットのつなぎ床大梁及び下階ユニットのつなぎ床大梁の設置状態を含む正面図である。
【発明を実施するための形態】
【００１９】
以下、図面を用いて、本発明に係るユニット建物の一実施形態について説明する。
（ユニット建物の構成）
【００２０】
まず、本実施の形態に係るユニット建物の構成について説明する。
図１には、本実施の形態に係るユニット建物１０の一部を構成する建物ユニット１２及び建物ユニット１４を斜め上方側から見た概略斜視図が示されている。
【００２１】
この図に示されるように、建物ユニット１２と建物ユニット１４は離し置きされており、建物ユニット１２と建物ユニット１４の間には、つなぎ部１６が架け渡されるようになっている。つなぎ部１６には、建物ユニット１２、１４の下端側に架け渡されるつなぎ床大梁１８、つなぎ床小梁２０、及び建物ユニット１２、１４の上端側に架け渡されるつなぎ天井大梁２２、つなぎ天井小梁２４が含まれている。そして、これらの部材は、建物ユニット１２と建物ユニット１４との離間距離に応じて、その寸法が設定されている。
【００２２】
ここで、建物ユニット１２、１４の構成について説明する。
【００２３】
建物ユニット１２と建物ユニット１４とは基本構成が略同じであるため、これらを代表して建物ユニット１４について説明する。
【００２４】
当該建物ユニット１４は、略箱形を成しており、四隅にそれぞれ同じ長さを有する角筒状の柱２６が立設されている。そして、各柱２６の下端部及び上端部には、それぞれ角筒状の下仕口部２８、上仕口部３０が設けられている。
【００２５】
建物ユニット１４の桁方向（矢印Ａ方向）に沿って隣り合う柱２６の下仕口部２８には、床大梁３２がそれぞれ結合されており、建物ユニット１４の妻方向（矢印Ｂ方向）に沿って隣り合う柱２６の下仕口部２８には、床大梁３４がそれぞれ結合されている。また、建物ユニット１４において、互いに対向する一対の床大梁３２間には、複数の床小梁３６（図７参照）が架け渡されており、この複数の床小梁３６は所定の間隔で配設されている。
【００２６】
一方、桁方向に沿って隣り合う柱２６の上仕口部３０には、天井大梁３８がそれぞれ結合されており、妻方向に沿って隣り合う柱２６の上仕口部３０には、天井大梁４０がそれぞれ結合されている。また、建物ユニット１４において、互いに対向する一対の天井大梁３８間には、複数の天井小梁４２が架け渡されており、当該複数の天井小梁４２は所定の間隔で配設されている。
【００２７】
さらに、建物ユニット１４には、柱２６の下端側に床パネル４４が設けられており、柱２６の上端側には天井パネル４６が設けられている。
【００２８】
そして、本実施形態におけるつなぎ部１６では、建物ユニット１２、１４の下端部において、建物ユニット１２の柱２６の下仕口部２８と建物ユニット１４の柱２６の下仕口部２８の間につなぎ床大梁１８が架け渡され、建物ユニット１２の床大梁３２と建物ユニット１４の床大梁３２の間につなぎ床小梁２０が架け渡されている。
【００２９】
また、建物ユニット１２、１４の上端部も下端部と同様に、建物ユニット１２の柱２６の上仕口部３０と建物ユニット１４の柱２６の上仕口部３０の間につなぎ天井大梁２２が架け渡され、建物ユニット１２の天井大梁３８と建物ユニット１４の天井大梁３８の間につなぎ天井小梁２４が架け渡されている。
【００３０】
そして、つなぎ床小梁２０の上には、建物ユニット１２、１４の床パネル４４と連続する床パネル４５（図５（Ｂ）参照）が設けられている。また、つなぎ天井大梁２２の上には、建物ユニット１２、１４の天井パネル４６と連続する天井パネル（図示省略）が設けられている。
【００３１】
さらに、当該つなぎ部１６では、建物ユニット１４の柱２６の外側と建物ユニット１２の柱２６の外側には、建物ユニット１２、１４の外壁パネル２３（図２参照）と連続する外壁パネル２５が設けられている。
【００３２】
なお、当該外壁パネル２５は、工場からの出荷時には、図２に示されるように、例えば、建物ユニット１４の天井大梁３８と床大梁３２の間を架け渡すようにして、当該天井大梁３８及び床大梁３２に仮固定され、運搬される。すなわち、つなぎ部１６が設けられることによって、運送費が高くならないようにしている。
【００３３】
ここで、つなぎ床大梁１８及びつなぎ床小梁２０と、つなぎ天井大梁２２及びつなぎ天井小梁２４は、略同じ施工方法で設置されるため、これらを代表して、つなぎ床大梁１８及びつなぎ床小梁２０について以下で説明する。
【００３４】
図３（Ａ）、（Ｂ）及び図４に示されるように、つなぎ部１６において、建物ユニット１４の柱２６の下仕口部２８とつなぎ床大梁１８の間には、ブラケット４８、５０が設けられている。また、建物ユニット１２（図３（Ａ）参照）の柱２６の下仕口部２８と当該つなぎ床大梁１８の間には、建物ユニット１４側と同様に、ブラケット４８、５０が設けられている。
【００３５】
例えば、ブラケット４８は、平面視で下仕口部２８側を開口とする略Ｕ字状を成しており、下仕口部２８と対向して配置されるベース部４８Ａと、ベース部４８Ａの両端からそれぞれ延出され先端が下仕口部２８に当接する一対の脚片４８Ｂと、で構成されている。
【００３６】
そして、当該ブラケット４８は、ベース部４８Ａが下仕口部２８との間で隙間を設けた状態で、溶接により脚片４８Ｂが当該下仕口部２８に結合されている。また、ブラケット４８のベース部４８Ａには、上下一対の挿通孔４９が形成されている。なお、ブラケット４８のベース部４８Ａの下仕口部２８側には、例えば、ウェルドナット４７（図３（Ａ）参照）が設けられている。
【００３７】
一方、ブラケット５０は、平面視で略逆Ｌ字状を成しており、二つの締結板５０Ａ、５０Ｂを含んで構成されている。締結板５０Ｂは、柱２６の下仕口部２８に結合されたブラケット４８のベース部４８Ａに当接可能とされ、締結板５０Ａは、つなぎ床大梁１８の中央部を構成する側壁部１８Ａに当接可能とされる。
【００３８】
ブラケット５０の締結板５０Ａ側には、上下一対のウェルドナット５１が設けられており、ボルト５２がそれぞれ締結可能とされている。一方、つなぎ床大梁１８の側壁部１８Ａには、ボルト５２が挿通する挿通孔５３が形成されており、締結板５０Ａがつなぎ床大梁１８の側壁部１８Ａに当接した状態で、ウェルドナット５１及びボルト５２を介してつなぎ床大梁１８の側壁部１８Ａにブラケット５０の締結板５０Ａが締結（結合）される。
【００３９】
また、ブラケット５０の締結板５０Ｂ側には、ブラケット４８のベース部４８Ａに形成された上下一対の挿通孔４９とそれぞれ連通可能な上下一対の挿通孔５４が形成されており、当該挿通孔５４及び挿通孔４９に挿通されたボルト５５が前述したウェルドナット４７に締結（結合）される。
【００４０】
すなわち、以上の構成では、ブラケット５０の締結板５０Ａにつなぎ床大梁１８が結合された状態で、ブラケット５０の締結板５０Ｂを柱２６の下仕口部２８に結合されたブラケット４８のベース部４８Ａに締結させることによって、当該ブラケット４８、５０を介して、つなぎ床大梁１８の一端部が建物ユニット１４の柱２６の下仕口部２８に結合されることとなる。
【００４１】
なお、図３（Ａ）、（Ｂ）に示すつなぎ床大梁１８の他端部（建物ユニット１２側）においても、一端部と略同じであり、ブラケット４８、５０を介して、つなぎ床大梁１８の他端部が建物ユニット１２の柱２６の下仕口部２８に結合される。つまり、この状態で、つなぎ床大梁１８は、建物ユニット１４の柱２６と建物ユニット１２の柱２６の間に架け渡される（設置される）こととなる。
【００４２】
一方、図５（Ａ）及び図７に示されるように、つなぎ部１６において、建物ユニット１４の床大梁３２とつなぎ床小梁２０の間には、ブラケット５６が設けられている。また、建物ユニット１２（図５（Ａ）参照）の床大梁３２とつなぎ床小梁２０の間には、建物ユニット１４側と同様に、ブラケット５６が設けられている。
【００４３】
例えば、ブラケット５６は、側面視で略Ｌ字状を成しており、引っ掛け部５８と結合部６０とを含んで構成されている。ブラケット５６の引っ掛け部５８は、平面視で略矩形状を成しており、床大梁３２の上部を構成する上壁部３２Ａに当接可能とされている。一方、ブラケット５６の結合部６０は、正面視で略矩形状を成しており、高さ方向に沿った長さは、つなぎ床小梁２０の高さ寸法よりも短く形成され，幅方向に沿った長さはつなぎ床小梁２０の幅寸法よりも長く形成されている。
【００４４】
そして、当該結合部６０につなぎ床小梁２０が溶接により結合可能とされており、結合部６０につなぎ床小梁２０が結合された状態で、図６（Ｂ）及び図５（Ｂ）の右図に示されるように、結合部６０の上方側及び下方側からは、つなぎ床小梁２０の上端部及び下端部がはみ出た状態とされる。
【００４５】
また、図７に示されるように、ブラケット５６の結合部６０におけるつなぎ床小梁２０の両外側には、挿通孔６８が形成されている。一方、床大梁３２の中央部を構成する側壁部３２Ｂには、挿通孔７２が形成されており、ブラケット５６の引っ掛け部５８が床大梁３２の上壁部３２Ａに当接された状態で、結合部６０の挿通孔６８は、挿通孔７２と連通可能となるように形成されている。また、挿通孔６８にはボルト７０が挿通可能とされており、当該ボルト７０は、床大梁３２の側壁部３２Ｂに予め設けられたスタッドナット７３（図５（Ｂ）参照）に締結可能とされている。
【００４６】
以上の構成では、つなぎ部１６において、つなぎ床小梁２０の長手方向の両端にブラケット５６の結合部６０が結合された状態で、建物ユニット１４の床大梁３２の上壁部３２Ａにブラケット５６の引っ掛け部５８を当接させて引っ掛けると共に、建物ユニット１２（図５（Ａ）参照）の床大梁３２の上壁部３２Ａにブラケット５６の引っ掛け部５８を当接させて引っ掛ける（仮置きさせる）。
【００４７】
この状態で、建物ユニット１４の床大梁３２の側壁部３２Ｂにブラケット５６の結合部６０を締結させると共に、建物ユニット１２の床大梁３２の側壁部３２Ｂにブラケット５６の結合部６０を締結させる。すなわち、これにより、当該ブラケット５６を介して、建物ユニット１４の床大梁３２と建物ユニット１２の床大梁３２の間につなぎ床小梁２０が架け渡される（設置される）こととなる。
【００４８】
なお、施工方法によっては、図６（Ａ）及び図５（Ｂ）の左図に示されるように、床パネル４５とつなぎ床小梁２０の間に根太７６が介在される場合もある。この場合、つなぎ床小梁２０の上面２０Ａからブラケット５６の引っ掛け部５８がその板厚分突出した状態でつなぎ床小梁２０が結合部６０に結合される。
【００４９】
ここで、本実施形態におけるつなぎ床小梁２０の組付け手順について説明する。
まず、図５（Ｂ）及び図７に示されるように、つなぎ床小梁２０の両端部をブラケット５６の結合部６０に対してそれぞれ溶接し、つなぎ床小梁２０とブラケット５６を一体化させる。
【００５０】
そして、第１工程として、建物ユニット１４の床大梁３２の上壁部３２Ａに、つなぎ床小梁２０の一端部に結合されたブラケット５６の引っ掛け部５８を当接させて引っ掛ける。また、建物ユニット１２側の床大梁３２においても建物ユニット１４側と同様に、つなぎ床小梁２０の他端部に結合されたブラケット５６の引っ掛け部５８を床大梁３２の上壁部３２Ａに引っ掛ける。
【００５１】
これにより、つなぎ床小梁２０は、ブラケット５６を介して建物ユニット１２、１４の床大梁３２にそれぞれ引っ掛かることとなり、当該床大梁３２に仮置き（支持）される。
【００５２】
次に、第２工程として、建物ユニット１２、１４の床大梁３２側のスタッドナット７４とボルト７０を介して、ブラケット５６の結合部６０を建物ユニット１２、１４の床大梁３２の側壁部３２Ｂにそれぞれ締結させる。
【００５３】
これにより、つなぎ床小梁２０は、当該ブラケット５６を介して、建物ユニット１２、１４の床大梁３２にそれぞれ締結され、建物ユニット１４の床大梁３２と建物ユニット１２の床大梁３２の間に架け渡されることとなる。
【００５４】
（ユニット建物の作用及び効果）
次に、本実施の形態に係るユニット建物の作用及び効果について説明する。
【００５５】
図１に示されるように、本実施形態におけるユニット建物１０では、離し置きされた建物ユニット１２と建物ユニット１４の間につなぎ床小梁２０が架け渡されている。このつなぎ床小梁２０の両端部にはブラケット５６がそれぞれ結合される。
【００５６】
図５（Ｂ）及び図７に示されるように、当該ブラケット５６は、床大梁３２に引っ掛け可能とされており、ブラケット５６につなぎ床小梁２０の端部を結合させることによって、つなぎ床小梁２０を床大梁３２に締結させる前に、ブラケット５６を介してつなぎ床小梁２０を床大梁３２に引っ掛け、支持（仮置き）させることが可能となる。
【００５７】
すなわち、ブラケット５６を床大梁３２に引っ掛けるだけで、つなぎ床小梁２０は支持されるため、つなぎ床小梁２０を床大梁３２に締結させる際に、当該つなぎ床小梁２０を下から支持する必要はなく、一人で締結作業を行うことができる。
【００５８】
換言すると、本実施形態では、ブラケット５６を介してつなぎ床小梁２０を離し置きされた建物ユニット１２と建物ユニット１４の床大梁３２に支持させた状態で、つなぎ床小梁２０を当該床大梁３２にそれぞれ締結させることができるため、作業性が良く、施工作業が向上する。
【００５９】
また、本実施形態では、図７に示されるように、ブラケット５６は、引っ掛け部５８と結合部６０とを含んで構成されている。引っ掛け部５８は、結合されたつなぎ床小梁２０の反対側へ向かって張り出しており、床大梁３２の上壁部３２Ａに当接して当該床大梁３２に引っ掛かるようになっている。一方、結合部６０は、結合されたつなぎ床小梁２０の外側に設けられており、床大梁３２の側壁部３２Ｂに締結されるようになっている。
【００６０】
つまり、ブラケット５６の結合部６０側につなぎ床小梁２０が結合された状態で、ブラケット５６の引っ掛け部５８を床大梁３２に引っ掛けた後（いわゆる仮置き）、ブラケット５６の結合部６０を床大梁３２の側壁部３２Ｂに締結させることによって、当該ブラケット５６を介して、つなぎ床小梁２０を床大梁３２に固定させることができる。
【００６１】
ここで、つなぎ床小梁２０は複数存在するため、当該つなぎ床小梁２０を、ブラケット５６を介して床大梁３２で支持することで、施工性が向上する。
【００６２】
さらに、本実施形態におけるユニット建物の施工方法では、離し置きされた建物ユニット１２と建物ユニット１４の間につなぎ床小梁２０が架け渡されるが、本実施形態では、第１工程及び第２工程を含んで構成されている。第１工程では、つなぎ床小梁２０の端部に結合されたブラケット５６が建物ユニット１４の床大梁３２に引っ掛けられ、第２工程では、ブラケット５６が当該床大梁３２に締結される。つまり、ブラケット５６を介してつなぎ床小梁２０を床大梁３２に仮置きした状態で、つなぎ床小梁２０を床大梁３２に結合（設置）させることができるため、作業性が良い。
【００６３】
なお、本実施形態では、つなぎ床小梁２０について説明したが、つなぎ天井小梁２４側もつなぎ床小梁２０と同様の効果を得ることができる。
【００６４】
ところで、図８に示されるように、つなぎ部１６における下階ユニット７８と上階ユニット８０の場合、下階ユニット７８のつなぎ天井小梁２４ではブラケット４８、５０が設けられているが、上階ユニット８０のつなぎ床小梁９０には当該ブラケット４８、５０が設けられていない。
【００６５】
そして、当該上階ユニット８０のつなぎ床小梁９０の下壁部９０Ａが、下階ユニット７８のつなぎ天井小梁２４の上壁部２４Ａに締結されている。つまり、上階ユニット８０のつなぎ床小梁９０は、下階ユニット７８のつなぎ天井小梁２４を介して設置され、これにより、ブラケット５６の数を削減してコストダウンを図ることができる。
【００６６】
本実施形態では、２階建てのユニット建物１０について説明したが、本発明は、３階建て以上のユニット建物についても適用可能である。
【００６７】
以上、本発明の実施形態について説明したが、本発明は、上記に限定されるものでなく、一実施形態及び各種の変形例を適宜組み合わせて用いても良いし、本発明の要旨を逸脱しない範囲内において上記以外にも種々変形して実施することが可能であることは勿論である。
【符号の説明】
【００６８】
１０      ユニット建物
１２      建物ユニット
１４      建物ユニット
１６      つなぎ部
２０      つなぎ床小梁（つなぎ小梁）
２４      つなぎ天井小梁（つなぎ小梁）
３２      床大梁（大梁）
３２Ａ    上壁部（大梁の上壁部）
３２Ｂ    側壁部（大梁の側壁部）
３８      天井大梁（大梁）
５６      ブラケット
５８      引っ掛け部（掛かり部、ブラケット）
６０      結合部（締結部、ブラケット）
【図１】
2019085776.tif 000003
【図２】
2019085776.tif 000004
【図３】
2019085776.tif 000005
【図４】
2019085776.tif 000006
【図５】
2019085776.tif 000007
【図６】
2019085776.tif 000008
【図７】
2019085776.tif 000009
【図８】
2019085776.tif 000010